(57)【要約】【課題】  信号が衝突することなく安全にデータ転送を行うことができる通信制御装置及び通信制御方法を提供する。【解決手段】  ＳＤメモリカードコントローラ２の要求信号送信部２１は、ＳＤメモリカード３に対してデータの読み出しを要求する要求信号を送信し、応答信号受信部２２は、要求信号送信部２１によって送信された要求信号に対するＳＤメモリカード３からの応答信号を受信し、データ受信部２３は、ＳＤメモリカード３から読み出されたリードデータを受信し、終了判断部４は、リードシーケンスを終了するか否かを判断し、応答信号受信部２２によって受信される応答信号の受信が終了し、かつデータ受信部２３によって受信されるリードデータの受信が終了した場合、リードシーケンスを終了する。【選択図】      図１
2006065632.tif 000002
【特許請求の範囲】
【請求項１】
送信するデータ量が可変である半導体メモリとのデータアクセスをシリアル通信により制御する通信制御装置であって、
前記半導体メモリに対してデータの読み出しを要求する要求信号を送信する要求信号送信手段と、
前記要求信号送信手段によって送信された要求信号に対する応答信号を、前記要求信号を送信する通信線と同一の通信線を介して受信する応答信号受信手段と、
前記半導体メモリから読み出されたリードデータを、前記要求信号を送信する通信線と異なる通信線を介して受信するデータ受信手段と、
リードシーケンスを終了するか否かを判断する終了判断手段とを備え、
前記終了判断手段は、前記応答信号受信手段によって受信される応答信号の受信が終了し、かつ前記データ受信手段によって受信されるリードデータの受信が終了した場合、リードシーケンスを終了することを特徴とする通信制御装置。
【請求項２】
前記要求信号送信手段、前記応答信号受信手段及び前記データ受信手段は、前記半導体メモリを制御するメモリコントローラと一体に構成され、
前記要求信号と前記応答信号とは、前記メモリコントローラと前記半導体メモリのコマンドピンとを接続するコマンドラインを介して送受信され、
前記リードデータは、前記メモリコントローラと前記半導体メモリのデータピンとを接続するデータラインを介して送受信され、
前記終了判断手段は、前記コマンドラインと前記データラインとに接続され、前記コマンドラインを介して送受信される応答信号の受信が終了し、かつ前記データラインを介して送受信されるリードデータの受信が終了した場合、リードシーケンスを終了することを特徴とする請求項１記載の通信制御装置。
【請求項３】
前記半導体メモリは、ＳＤメモリカードであることを特徴とする請求項１又は２記載の通信制御装置。
【請求項４】
前記ＳＤメモリカードのデータ転送方式は、ＳＤモードであることを特徴とする請求項３記載の通信制御装置。
【請求項５】
送信するデータ量が可変である半導体メモリとのデータアクセスをシリアル通信により制御するための通信制御方法であって、
前記半導体メモリに対してデータの読み出しを要求する要求信号を送信し、
送信された要求信号に対する応答信号を、前記要求信号を送信する通信線と同一の通信線を介して受信し、
前記半導体メモリから読み出されたリードデータを、前記要求信号を送信する通信線と異なる通信線を介して受信し、
前記応答信号の受信が終了し、かつ前記リードデータの受信が終了した場合、リードシーケンスを終了することを特徴とする通信制御方法。
【発明の詳細な説明】
【技術分野】
【０００１】
本発明は、送信するデータ量が可変である半導体メモリとのデータアクセスをシリアル通信により制御する通信制御装置及び通信制御方法に関するものである。
【背景技術】
【０００２】
従来より、ＳＤ（Secure Digital）メモリカードとのメモリアクセスの方法として、ソフトウエアを用いて行う方法は設定が煩雑である上に処理時間がかかるという問題を有していた。そのため、初期化、アクセス方法の設定及びデータアクセスをハードウエア化してソフトウエア側の負担を軽減し、初期化やデータ転送に要する時間を短縮する方法がある。このような、ＳＤメモリカードの制御には、例えば、特許文献１などがある。
【０００３】
ＳＤメモリカードのデータ転送方式は、入出力に共通のラインを使用するシリアルインターフェースであるため、ＳＤメモリカードから出力される信号と、コントローラから出力される信号とが衝突しないように考慮しなければならない。具体的には、連続するアクセスが衝突しないためには、前のアクセスが完了したことを確認して次のアクセスを開始する必要がある。そこで、従来のハードウエア化されたＳＤメモリカードのコントローラにおけるデータリードアクセス方法では、リードデータの転送終了を確認することにより、データリードシーケンスの終了判断を行っている。
【特許文献１】特開２００４−１３３８８１号公報
【発明の開示】
【発明が解決しようとする課題】
【０００４】
しかしながら、ＳＤメモリカードは、１度にアクセスすることができるデータ量が可変であるため、データ量によっては、ＳＤメモリカードからのリードデータの転送終了のタイミングと、コマンドに対するＳＤメモリカードからの応答信号の送信が終了するタイミングとが変化する場合がある。したがって、１度にアクセスするデータ量が比較的小さい場合、ＳＤメモリカードからのリードデータの転送が、ＳＤメモリカードからの応答信号送信よりも速く終了してしまう。従来のデータアクセス方法では、リードデータの転送終了を確認することにより、データリードシーケンスの終了判断を行っているため、ＳＤメモリカードからの応答信号の送信が終了していないのにもかかわらず、コントローラがコマンドを発行してしまい、コマンド信号と応答信号とが衝突してしまうという問題がある。
【０００５】
本発明は、上記の問題を解決するためになされたもので、信号が衝突することなく安全にデータ転送を行うことができる通信制御装置及び通信制御方法を提供することを目的とするものである。
【課題を解決するための手段】
【０００６】
本発明に係る通信制御装置は、送信するデータ量が可変である半導体メモリとのデータアクセスをシリアル通信により制御する通信制御装置であって、前記半導体メモリに対してデータの読み出しを要求する要求信号を送信する要求信号送信手段と、前記要求信号送信手段によって送信された要求信号に対する応答信号を、前記要求信号を送信する通信線と同一の通信線を介して受信する応答信号受信手段と、前記半導体メモリから読み出されたリードデータを、前記要求信号を送信する通信線と異なる通信線を介して受信するデータ受信手段と、リードシーケンスを終了するか否かを判断する終了判断手段とを備え、前記終了判断手段は、前記応答信号受信手段によって受信される応答信号の受信が終了し、かつ前記データ受信手段によって受信されるリードデータの受信が終了した場合、リードシーケンスを終了する。
【０００７】
この構成によれば、送信するデータ量が可変である半導体メモリに対してデータの読み出しを要求する要求信号が送信され、送信された要求信号に対する応答信号が、要求信号を送信する通信線と同一の通信線を介して受信され、半導体メモリから読み出されたリードデータが、要求信号を送信する通信線と異なる通信線を介して受信される。そして、リードシーケンスを終了するか否かが判断され、受信される応答信号の受信が終了し、かつ受信されるリードデータの受信が終了した場合、リードシーケンスが終了される。
【０００８】
したがって、要求信号に対する応答信号とリードデータとの２つの信号の受信が完了した場合にリードシーケンスを終了することで、応答信号と次に送信される要求信号との２つの信号が衝突することがなくなり、安全にデータ転送を行うことができる。
【０００９】
また、上記の通信制御装置において、前記要求信号送信手段、前記応答信号受信手段及び前記データ受信手段は、前記半導体メモリを制御するメモリコントローラと一体に構成され、前記要求信号と前記応答信号とは、前記メモリコントローラと前記半導体メモリのコマンドピンとを接続するコマンドラインを介して送受信され、前記リードデータは、前記メモリコントローラと前記半導体メモリのデータピンとを接続するデータラインを介して送受信され、前記終了判断手段は、前記コマンドラインと前記データラインとに接続され、前記コマンドラインを介して送受信される応答信号の受信が終了し、かつ前記データラインを介して送受信されるリードデータの受信が終了した場合、リードシーケンスを終了することが好ましい。
【００１０】
この構成によれば、要求信号送信手段、応答信号受信手段及びデータ受信手段は、半導体メモリを制御するメモリコントローラと一体に構成されている。要求信号と応答信号とは、半導体メモリを制御するメモリコントローラと半導体メモリのコマンドピンとを接続するコマンドラインを介して送受信され、リードデータは、メモリコントローラと半導体メモリのデータピンとを接続するデータラインを介して送受信される。そして、コマンドラインとデータラインとに接続される終了判断手段によって、コマンドラインを介して送受信される応答信号の受信が終了し、かつデータラインを介して送受信されるリードデータの受信が終了した場合にリードシーケンスが終了される。
【００１１】
したがって、リードシーケンスを終了するか否かを判断する処理を、半導体メモリを制御するメモリコントローラとは別の終了判断手段により行うことによって、メモリコントローラの処理負担を軽減することができる。また、汎用のメモリコントローラの通信線に終了判断手段を接続するという簡単な構成でリードシーケンスを終了するか否かを判断することができる。
【００１２】
また、上記の通信制御装置において、前記半導体メモリは、ＳＤメモリカードであることが好ましい。この構成によれば、シリアル通信を用いて接続されるＳＤメモリカードとのデータアクセスを制御することができる。
【００１３】
また、上記の通信制御装置において、前記ＳＤメモリカードのデータ転送方式は、ＳＤモードであることが好ましい。この構成によれば、ＳＤメモリカードのデータ転送方式が、１つの通信ラインを用いて双方向に信号の送受信を行うＳＤモードであっても、信号が衝突することなく安全にデータ転送を行うことができる。
【００１４】
本発明に係る通信制御方法は、送信するデータ量が可変である半導体メモリとのデータアクセスをシリアル通信により制御するための通信制御方法であって、前記半導体メモリに対してデータの読み出しを要求する要求信号を送信し、送信された要求信号に対する応答信号を、前記要求信号を送信する通信線と同一の通信線を介して受信し、前記半導体メモリから読み出されたリードデータを、前記要求信号を送信する通信線と異なる通信線を介して受信し、前記応答信号の受信が終了し、かつ前記リードデータの受信が終了した場合、リードシーケンスを終了する。
【００１５】
この構成によれば、送信するデータ量が可変である半導体メモリに対してデータの読み出しを要求する要求信号が送信され、送信された要求信号に対する応答信号が、要求信号を送信する通信線と同一の通信線を介して受信され、半導体メモリから読み出されたリードデータが、要求信号を送信する通信線と異なる通信線を介して受信される。そして、リードシーケンスを終了するか否かが判断され、受信される応答信号の受信が終了し、かつ受信されるリードデータの受信が終了した場合、リードシーケンスが終了される。
【００１６】
したがって、要求信号に対する応答信号とリードデータとの２つの信号の受信が完了した場合にリードシーケンスを終了することで、応答信号と次に送信される要求信号との２つの信号が衝突することがなくなり、安全にデータ転送を行うことができる。
【発明の効果】
【００１７】
請求項１に記載の発明によれば、要求信号に対する応答信号とリードデータとの２つの信号の受信が完了した場合にリードシーケンスを終了することで、応答信号と次に送信される要求信号との２つの信号が衝突することがなくなり、安全にデータ転送を行うことができる。
【００１８】
請求項２に記載の発明によれば、リードシーケンスを終了するか否かを判断する終了判断手段を、半導体メモリを制御するメモリコントローラとは別に接続することによって、メモリコントローラの処理負担を軽減することができる。また、汎用のメモリコントローラの通信線に終了判断手段を接続するという簡単な構成でリードシーケンスを終了するか否かを判断することができる。
【００１９】
請求項３に記載の発明によれば、シリアル通信を用いて接続されるＳＤメモリカードとのデータアクセスを制御することができる。
【００２０】
請求項４に記載の発明によれば、ＳＤメモリカードのデータ転送方式が、１つの通信ラインを用いて双方向に信号の送受信を行うＳＤモードであっても、信号が衝突することなく安全にデータ転送を行うことができる。
【００２１】
請求項５に記載の発明によれば、要求信号に対する応答信号とリードデータとの２つの信号の受信が完了した場合にリードシーケンスを終了することで、応答信号と次に送信される要求信号との２つの信号が衝突することがなくなり、安全にデータ転送を行うことができる。
【発明を実施するための最良の形態】
【００２２】
以下、本発明の一実施の形態によるメモリコントローラについて図面を参照しながら説明する。
【００２３】
図１は、本発明に係る通信制御装置の概略構成を示すブロック図である。図１に示すように、通信制御装置１は、ＳＤメモリカードコントローラ２、ＳＤメモリカード３及び終了判断部４を備えて構成される。なお、本実施形態では、送信するデータ量が可変である半導体メモリの一例としてＳＤメモリカード３を用い、ＳＤメモリカードコントローラ２によりＳＤメモリカード３を制御しているが、本発明は特にこれに限定されず、例えば、ＭＭＣ（マルチメディアカード）やメモリスティックなどのフラッシュメモリを用いた他のカード型メモリを用いてもよい。
【００２４】
ＳＤメモリカード３とＳＤメモリカードコントローラ２との通信は、全てＳＤメモリカードコントローラ２からのコマンドによって制御される。ＳＤメモリカードコントローラ２とＳＤメモリカード３との間を接続するＳＤバスは、６本の通信線（データラインＤＡＴＡ０〜３，コマンドラインＣＭＤ，クロックラインＣＬＫ）と３本の電源供給線（ＶＤＤ，ＧＮＤ，ＧＮＤ）を含む。これに対応して、ＳＤメモリカード３には、４本のデータピン（ＤＡＴＡ０〜３）、コマンドピン（ＣＭＤ）、クロック信号ピン（ＣＬＫ）、電源ピン（ＶＤＤ）、２つのグランドピン（ＧＮＤ）が設けられている。アダプタ３１は、ＳＤメモリカードコントローラ２から配線された各通信線と、ＳＤメモリカード３に設けられた各ピンとを接続するためのものであり、ＳＤメモリカード３がアダプタ３１に挿入されることによって、ＳＤメモリカード３とＳＤメモリカードコントローラ２との通信が可能となる。６本の通信線（データラインＤＡＴＡ０〜３，コマンドラインＣＭＤ，クロックラインＣＬＫ）の機能は次の通りである。
【００２５】
各データラインＤＡＴＡ０〜３は、ＳＤメモリカードコントローラ２とＳＤメモリカード３との間のデータ転送に使用される双方向信号線である。コマンドラインＣＭＤは、双方向信号線である。ＳＤメモリカードコントローラ２からＳＤメモリカード３へのコマンド（要求信号）の転送、およびＳＤメモリカード３からＳＤメモリカードコントローラ２へのレスポンス（応答信号）の転送に使用される。
【００２６】
クロックラインＣＬＫは、ＳＤメモリカードコントローラ２からＳＤメモリカード３へクロック信号を送信するための信号線である。ＳＤメモリカードコントローラ２からＳＤメモリカード３へのコマンドの転送、及びＳＤメモリカードコントローラ２とＳＤメモリカード３との間のデータ転送などは、ＳＤメモリカードコントローラ２からＳＤメモリカード３へのクロック信号に同期して実行される。
【００２７】
ＳＤメモリカード３は、７ピンインタフェースを使用するマルチメディアカード（ＭＭＣ）を改良したカードであり、そのＭＭＣとの上位互換を維持するため、ＳＤモード及びＳＰＩ（Serial Peripheral Interface）モードの２つの動作モードを有している。
【００２８】
なお、ＳＤモードには、さらにＳＤ１ビットモードとＳＤ４ビットモードとがある。ＳＤ４ビットモードでは、ＤＡＴＡ０〜３の４つのデータピンを用いることによってホスト（ＳＤメモリカードコントローラ２）との間のデータ転送が４ビット幅単位で実行される。ＳＤ１ビットモードでは、ＤＡＴＡ０〜３の内でホストとの間のデータ転送に使用されるのはＤＡＴＡ０のみであり、ホストとの間のデータ転送は１ビット幅単位で実行される。この場合、ＤＡＴＡ１，２は一切使用されない。ＳＰＩモードでは、ＤＡＴＡ０がカードからホストへのデータ転送に使用され、他の１ピンがホストからカードへのデータ転送に使用される。ＳＤ１ビットモードの場合と同じく、ＤＡＴ１，２は一切使用されない。
【００２９】
ＳＰＩモードのデータ転送の場合は、シリアル通信であるが単方向の通信となる。したがって、ＳＰＩモードでは、コマンド信号とレスポンス信号との衝突は生じない。そのため、本実施形態では、ＳＤモード、特にＳＤ１ビットモードの動作モードでデータアクセスする。このように、ＳＤメモリカード３のデータ転送方式が、１つの通信ラインを用いて双方向に信号の送受信を行うＳＤモードであっても、信号が衝突することなく安全にデータ転送を行うことができる。
【００３０】
ＳＤメモリカードコントローラ２は、要求信号送信部２１、応答信号受信部２２及びデータ受信部２３を備えて構成される。
【００３１】
要求信号送信部２１は、ＳＤメモリカード３に対してデータの読み出しを要求するコマンドを発行し、当該コマンド信号（要求信号）をＳＤメモリカード３へコマンドラインＣＭＤを介して送信する。応答信号受信部２２は、要求信号送信部２１によってコマンドラインＣＭＤを介して送信されたコマンド信号に対するＳＤメモリカード３からの応答信号を受信する。データ受信部２３は、ＳＤメモリカード３によってデータラインＤＡＴＡ０を介して送信されたリードデータを受信する。
【００３２】
コマンドラインＣＭＤとデータラインＤＡＴＡ０とには、終了判断部４が接続されている。終了判断部４は、リードシーケンスを終了するか否かを判断し、コマンドラインＣＭＤによって送受信される応答信号の受信が終了し、かつデータラインＤＡＴＡ０によって送受信されるリードデータの受信が終了した場合、リードシーケンスを終了する。
【００３３】
図２は、コマンドラインによって送受信される信号と、データラインによって送受信される信号との転送タイミングを示すタイミングチャートであり、図２（ａ）は、レスポンス信号の転送終了タイミングがリードデータの転送終了タイミングよりも速い場合におけるタイミングチャートであり、図２（ｂ）は、レスポンス信号の転送終了タイミングがリードデータの転送終了タイミングよりも遅い場合におけるタイミングチャートである。
【００３４】
図２（ａ）及び図２（ｂ）に示すように、コマンドラインＣＭＤは、ＳＤメモリカードコントローラ２によって送信されるリードコマンド信号と、ＳＤメモリカード３によって送信されるレスポンス信号とが転送される。また、データラインＤＡＴＡ０は、ＳＤメモリカード３によって送信されるリードデータが転送される。ここで、リードデータは、レスポンス信号の転送中に転送される。図２（ａ）に示すように、リードデータの転送終了タイミングＴ2がレスポンス信号の転送終了タイミングＴ1よりも遅い場合、従来技術のようにリードデータの転送終了のみを検知してリードシーケンスの終了を判断してもよい。しかしながら、ＳＤメモリカードは、１度にアクセスすることができるデータ量が可変であるため、必ずしもリードデータの転送終了タイミングＴ2がレスポンス信号の転送終了タイミングＴ1よりも遅くなるとは限らない。
【００３５】
図２（ｂ）に示すように、リードデータのデータ量が比較的小さい場合、リードデータの転送終了タイミングＴ2’がレスポンス信号の転送終了タイミングＴ1よりも速くなる場合がある。この場合、従来技術のようにリードデータの転送終了のみを検知してリードシーケンスの終了を判断すると、レスポンス信号の転送が完了していないにもかかわらず、ＳＤメモリカードコントローラ２が次のリードコマンドを発行してしまい、次のリードコマンドの転送開始タイミングＴ1’がレスポンス信号の転送終了タイミングＴ1よりも速くなり、レスポンス信号と次のリードコマンドとが衝突してしまう虞がある。そこで、本実施形態では、リードデータの転送終了と、レスポンス信号の転送終了とを検知することにより、リードシーケンスの終了を判断する。
【００３６】
ここで、図１に示す通信制御装置１の動作について説明する。図３は、図１に示す通信制御装置１の動作について説明するためのフローチャートである。
【００３７】
まず、ステップＳ１において、ＳＤメモリカードコントローラ２は、各種コマンドの設定を行う。このとき、ＳＤメモリカードコントローラ２は、動作モードをＳＤ１ビットモードに設定する。
【００３８】
次に、ステップＳ２において、ＳＤメモリカードコントローラ２は、ＳＤメモリカード３に記憶されている所定のデータを読み出すリードコマンドを発行し、発行したリードコマンドをＳＤメモリカード３へコマンドラインＣＭＤを介して送信する。
【００３９】
次に、ステップＳ１１において、ＳＤメモリカード３は、ＳＤメモリカードコントローラ２によって送信されたリードコマンドを受信する。次に、ステップＳ１２において、ＳＤメモリカード３は、受信したリードコマンドに対するレスポンス信号をＳＤメモリカードコントローラ２へコマンドラインＣＭＤを介して送信する。
【００４０】
次に、ステップＳ３において、ＳＤメモリカードコントローラ２は、ＳＤメモリカード３によって送信されたレスポンス信号を受信する。同時に、ステップＳ２１において、終了判断部４は、ＳＤメモリカード３によって送信されたレスポンス信号を受信する。
【００４１】
次に、ステップＳ１３において、ＳＤメモリカード３は、リードコマンドによって要求されるデータを読み出し、読み出したリードデータをＳＤメモリカードコントローラ２へデータラインＤＡＴＡ０を介して送信する。
【００４２】
次に、ステップＳ４において、ＳＤメモリカードコントローラ２は、ＳＤメモリカード３によって送信されたリードデータを受信する。同時に、ステップＳ２２において、終了判断部４は、ＳＤメモリカード３によって送信されたリードデータを受信する。
【００４３】
次に、ステップＳ２３において、終了判断部４は、ＳＤメモリカード３によって送信されたレスポンス信号の受信が終了したか否かを判断する。ここで、レスポンス信号の受信が終了したと判断された場合（ステップＳ２３でＹＥＳ）、ステップＳ２４の処理に移行し、レスポンス信号の受信が終了していないと判断された場合（ステップＳ２３でＮＯ）、レスポンス信号の受信が終了するまで待機状態となる。
【００４４】
レスポンス信号の受信が終了したと判断された場合、ステップＳ２４において、終了判断部４は、ＳＤメモリカード３によって送信されたリードデータの受信が終了したか否かを判断する。ここで、リードデータの受信が終了したと判断された場合（ステップＳ２４でＹＥＳ）、ステップＳ２５の処理に移行し、リードデータの受信が終了していないと判断された場合（ステップＳ２４でＮＯ）、リードデータの受信が終了するまで待機状態となる。
【００４５】
リードデータの受信が終了したと判断された場合、ステップＳ２５において、終了判断部４は、リードシーケンスが終了したことを示すリードシーケンス終了信号をＳＤメモリカードコントローラ２へ出力する。
【００４６】
次に、ステップＳ５において、ＳＤメモリカードコントローラ２は、終了判断部４によって出力されたリードシーケンス終了信号が入力されると、リードシーケンスを終了する。ＳＤメモリカードコントローラ２は、リードシーケンス終了信号が入力された後、次のリードシーケンスに係るリードコマンドを送信する。
【００４７】
このように、ＳＤメモリカード３に対してデータの読み出しを要求する要求信号が送信され、送信された要求信号に対する応答信号が、要求信号を送信する通信線と同一の通信線を介して受信され、ＳＤメモリカード３から読み出されたリードデータが、要求信号を送信する通信線と異なる通信線を介して受信される。そして、終了判断部４によって、リードシーケンスを終了するか否かが判断され、受信される応答信号の受信が終了し、かつ受信されるリードデータの受信が終了した場合、リードシーケンスが終了される。
【００４８】
したがって、要求信号に対する応答信号とリードデータとの２つの信号の受信が完了した場合にリードシーケンスを終了することで、応答信号と次に送信される要求信号との２つの信号が衝突することがなくなり、安全にデータ転送を行うことができる。
【００４９】
また、要求信号と応答信号とは、ＳＤメモリカード３を制御するＳＤメモリカードコントローラ２とＳＤメモリカード３のコマンドピンとを接続するコマンドラインＣＭＤを介して送受信され、リードデータは、ＳＤメモリカードコントローラ２とＳＤメモリカード３のデータピンとを接続するデータラインＤＡＴＡ０を介して送受信される。そして、コマンドラインＣＭＤとデータラインＤＡＴＡ０とに接続される終了判断部４によって、コマンドラインＣＭＤを介して送受信される応答信号の受信が終了し、かつデータラインＤＡＴＡ０を介して送受信されるリードデータの受信が終了した場合にリードシーケンスが終了される。したがって、リードシーケンスを終了するか否かを判断する終了判断部４を、ＳＤメモリカード３を制御するＳＤメモリカードコントローラ２とは別に接続することによって、ＳＤメモリカードコントローラ２の処理負担を軽減することができる。また、汎用のＳＤメモリカードコントローラ２の通信線に終了判断部４を接続するという簡単な構成でリードシーケンスを終了するか否かを判断することができる。
【図面の簡単な説明】
【００５０】
【図１】本発明に係る通信制御装置の概略構成を示すブロック図である。
【図２】コマンドラインによって送受信される信号と、データラインによって送受信される信号との転送タイミングを示すタイミングチャートである。
【図３】図１に示す通信制御装置の動作について説明するためのフローチャートである。
【符号の説明】
【００５１】
１    通信制御装置
２    ＳＤメモリカードコントローラ
３    ＳＤメモリカード
４    終了判断部
２１    要求信号送信部
２２    応答信号受信部
２３    データ受信部
ＣＭＤ    コマンドライン
ＤＡＴＡ０    データライン
【図１】
2006065632.tif 000003
【図２】
2006065632.tif 000004
【図３】
2006065632.tif 000005